(57)【要約】【課題】熱交換器室内に上下２つの熱交換部をくの字状に組み合わせてなる熱交換器を有する空気調和機において、熱交換部の突き合わせ部に配置される遮風板の送風等による振動を防止する。【解決手段】くの字状に組み合わされる上部熱交換部と下部熱交換部の各一端部の突き合わせ部に沿って配置される帯状に形成された遮風板５０を備え、上記遮風板５０に、上部熱交換部と下部熱交換部とに対する固定手段５２を設ける。【選択図】図４
2018204828.tif 000002
【特許請求の範囲】
【請求項１】
一方の面側に空気吸込口を有し他方の面側に空気吹出口を有する直方体状の筐体を備え、上記筐体の内部が、仕切り板によって上記空気吸込口側の送風機室と上記空気吹出口側の熱交換器室とに区画されており、上記送風機室には送風機が配置され、上記熱交換器室には熱交換器が配置され、上記熱交換器は上部熱交換部と下部熱交換部とを有し、上記上部熱交換部の一端部と上記下部熱交換部の一端部が上記空気吹出口側で連結され、上記上部熱交換部の他端部が上記熱交換器室が備える天板に向けて上向きに傾斜し、上記下部熱交換部の他端部が上記熱交換器室の上記天板と対向する底部に向けて下向きに傾斜しており、上記送風機から上記熱交換器に向けて送風される空気調和機において、
上記上部熱交換部の一端部と上記下部熱交換部の一端部の突き合わせ部に沿って配置される帯状に形成された遮風板を有し、上記遮風板には、当該遮風板を上記上部熱交換部と上記下部熱交換部とに固定する固定手段が設けられていることを特徴とする空気調和機。
【請求項２】
上記固定手段には、上記遮風板の上縁から上記上部熱交換部の上記天板と向き合う側の上面に沿うように引き出された上部固定片と、上記遮風板の下縁から上記下部熱交換部の上記底部と向き合う側の下面に沿うように引き出された下部固定片とが含まれていることを特徴とする請求項１に記載の空気調和機。
【請求項３】
上記上部固定片および上記下部固定片は、それぞれ、上記熱交換器が備えている冷媒配管に係止される係止爪を備えていることを特徴とする請求項１または２に記載の空気調和機。
【請求項４】
上記固定手段は、上記突き合わせ部のうちの上記送風機の送風口と対向する位置に配置されることを特徴とする請求項１ないし３のいずれか１項に記載の空気調和機。
【発明の詳細な説明】
【技術分野】
【０００１】
本発明は、熱交換器室と送風機室とを含む空気調和機に関し、さらに詳しく言えば、熱交換器室内に上下２つの熱交換部をくの字状に連結した熱交換器を有する空気調和機に関するものである。
【背景技術】
【０００２】
図９に空気調和機の一形態としてのダクト型空気調和機１Ｂの従来例を示す。ダクト型空気調和機１Ｂの多くは、直方体状の筐体１０を備えている。筐体１０の一方の面側（図９では右側）に空気吸込口１０Ａが設けられ、一方の面と対向する他方の面側（図９では左側）に空気吹出口１０Ｂが設けられている。
【０００３】
筐体１０の内部は、仕切り板２０によって、空気吸込口１０Ａ側の送風機室３０と、空気吹出口１０Ｂ側の熱交換器室４０とに区画されている。送風機室３０内には、送風機３１が配置されている。
【０００４】
熱交換器室４０内には、熱交換器４１とドレンパン４５とが配置されている。熱交換器室４０は上面に天板４０１を備え、ドレンパン４５は熱交換器室４０の天板４０１と対向する底部４０２に配置されている。
【０００５】
ダクト型空気調和機において、送風機３１には、通常、シロッコファンが採用されている。シロッコファンはスクロールケーシング３２を有する遠心送風機の一種で、風はスクロールケーシング３２の送風口から熱交換器４１の一部分に向けて集中して吹き出される。
【０００６】
図示しないが、ダクト型空気調和機１Ｂは天井裏（屋根裏）に設置され、空気吸込口１０Ａは、吸込側ダクトを介して天井面に設けられている空気吸込グリルと接続され、空気吹出口１０Ｂは、吹出側ダクトを介して天井面に設けられている空気吹出グリルと接続される。
【０００７】
このダクト型空気調和機１Ｂは、送風機３１が熱交換器４１の上流側に配置され、送風機３１から熱交換器４１に対して空気が吹き付けられる空気調和機であり、送風機（シロッコファン）３１の運転により、室内空気が空気吸込グリル→吸込側ダクト→送風機室３０→熱交換器室４０→吹出側ダクト→空気吹出グリルへと流れ、熱交換器室４０内の熱交換器４１にて熱交換された調和空気が空気吹出グリルから室内に戻される。
【０００８】
この従来例において、熱交換器４１には、２つの平面状の熱交換器４２，４３を側面視（図９では正面視）でくの字状に組合せた熱交換器が用いられている。
【０００９】
すなわち、上側の熱交換器４２を上部熱交換部、下側の熱交換器４３を下部熱交換部として、上部熱交換部４２の一端部４２ａと下部熱交換部４３の他端部４３ａを空気吹出口１０Ｂ側で所定の角度をもって突き合わせ、上部熱交換部４２の他端部４２ｂを熱交換器室４０の天板４０１に近づくように上向きに傾斜させ、下部熱交換部４３の他端部４３ｂをドレンパン４５に近づくように下向きに傾斜させている。
【００１０】
上部熱交換部４２の一端部４２ａと下部熱交換部４３の一端部４３ａの突き合わせ部４１ａに隙間ができると、その隙間から熱交換されない空気が通過して熱交換効率が低下するおそれがある。
【００１１】
そこで、特許文献１に記載された発明では、上部熱交換部４２と下部熱交換部４３の突き合わせ部４１ａに沿って帯状の遮風板を配置して、突き合わせ部４１ａから熱交換されない空気が通過しないようにしている。また、上部熱交換部４２の一端部４２ａと下部熱交換部４３の一端部４３ａ同士を隙間が生じないようにワイヤ等の連結具で連結するようにしている。
【００１２】
しかしながら、遮風板はその両端のみが熱交換器４１を支持する左側支持ブラケットと右側支持ブラケット（ともに図示しない）とに固定された状態であるため、例えば当該空気調和機の大型化に伴い送風機３１からの風速が増大すると、遮風板が振動しいわゆるビビリ音が発生することがある。
【先行技術文献】
【特許文献】
【００１３】
【特許文献１】特開２０１６−８７３０号公報（図４参照）
【発明の概要】
【発明が解決しようとする課題】
【００１４】
したがって、本発明の課題は、熱交換器室内に上下２つの熱交換部をくの字状に組み合わせてなる熱交換器を有する空気調和機において、熱交換部の突き合わせ部に配置される遮風板の振動を防止することにある。
【課題を解決するための手段】
【００１５】
上記課題を解決するため、本発明は、一方の面側に空気吸込口を有し他方の面側に空気吹出口を有する直方体状の筐体を備え、上記筐体の内部が、仕切り板によって上記空気吸込口側の送風機室と上記空気吹出口側の熱交換器室とに区画されており、上記送風機室には送風機が配置され、上記熱交換器室には熱交換器が配置され、上記熱交換器は上部熱交換部と下部熱交換部とを有し、上記上部熱交換部の一端部と上記下部熱交換部の一端部が上記空気吹出口側で連結され、上記上部熱交換部の他端部が上記熱交換器室が備える天板に向けて上向きに傾斜し、上記下部熱交換部の他端部が上記熱交換器室の上記天板と対向する底部に向けて下向きに傾斜しており、上記送風機から上記熱交換器に向けて送風される空気調和機において、
上記上部熱交換部の一端部と上記下部熱交換部の一端部の突き合わせ部に沿って配置される帯状に形成された遮風板を有し、上記遮風板には、当該遮風板を上記上部熱交換部と上記下部熱交換部とに固定する固定手段が設けられていることを特徴としている。
【００１６】
本発明において、上記固定手段には、上記遮風板の上縁から上記上部熱交換部の上記天板と向き合う側の上面に沿うように引き出された上部固定片と、上記遮風板の下縁から上記下部熱交換部の上記底部と向き合う側の下面に沿うように引き出された下部固定片とが含まれている。
【００１７】
また、本発明において、上記上部固定片および上記下部固定片は、それぞれ、上記熱交換器が備えている冷媒配管に係止される係止爪を備えていることを特徴としている。
【００１８】
上記固定手段は、好ましくは、上記突き合わせ部のうちの上記送風機の送風口と対向する位置に配置される。
【発明の効果】
【００１９】
本発明によれば、遮風板自体に上部熱交換部と下部熱交換部とに対する固定手段が設けられているため、遮風板の振動が防止される。
【図面の簡単な説明】
【００２０】
【図１】本発明の一実施形態に係るダクト型空気調和機を示す外観斜視図。
【図２】上記ダクト型空気調和機の熱交換器室の天板を外してその内部を露出させた状態を示す斜視図。
【図３】上記ダクト型空気調和機の横断面図。
【図４】（ａ）第１実施形態に係る遮風板を示す斜視図、（ｂ）そのＡ−Ａ線断面図。
【図５】上記第１実施形態に係る遮風板の熱交換器への取付状態を示す図４（ａ）のＡ−Ａ線に沿った断面図。
【図６】上記第１実施形態に係る遮風板の熱交換器への取付状態を示す図４（ａ）のＢ−Ｂ線に沿った断面図。
【図７】第２実施形態に係る遮風板を示す斜視図。
【図８】上記第２実施形態に係る遮風板の熱交換器への取付状態を示す図７のＣ−Ｃ線に沿った断面図。
【図９】従来例としてのダクト型空気調和機の内部構造を示す模式的な断面図。
【発明を実施するための形態】
【００２１】
次に、図１ないし図８により、本発明の実施形態について説明するが、本発明はこれに限定されるものではない。
【００２２】
まず、図１ないし図３および図５を参照して、この実施形態に係る空気調和機１Ａは、従来例として先の図９で説明したダクト型空気調和機１Ｂと同じく天井裏に設置される直方体状の筐体１０を備えている。
【００２３】
筐体１０の対向する両面のうち、その一方の面側（図３，図５では右側）に空気吸込口１０Ａが設けられ、他方の面側（図３，図５では左側）に空気吹出口１０Ｂが設けられている。空気吸込口１０Ａは、図示しない吸込側ダクトを介して天井面に設けられている空気吸込グリルと接続され、空気吹出口１０Ｂは、同じく図示しない吹出側ダクトを介して天井面に設けられている空気吹出グリルと接続される。
【００２４】
筐体１０の内部は、仕切り板２０によって、空気吸込口１０Ａ側の送風機室３０と、空気吹出口１０Ｂ側の熱交換器室４０とに区画されている。
【００２５】
送風機室３０内には、送風機としてシロッコファン３１が配置されている。シロッコファン３１は、多翼円筒体（多翼ファン）３３を有する遠心送風機の一種であり、多翼円筒体３３は、スクロールケーシング３２内に収納されている。
【００２６】
図３に示すように、スクロールケーシング３２の側面（この実施形態では両側面）に空気吸込口３２ａが設けられており、多翼円筒体３３の回転により、空気が空気吸込口３２ａから吸い込まれ、スクロールケーシング３２の送風口３２ｂから、熱交換器室４０に配置される熱交換器４１の一部分に向けて集中して吹き出される。
【００２７】
図３に示すように、この実施形態では、シロッコファン３１を２台としている。シロッコファン３１，３１は、多翼円筒体３３の回転軸が同一直線上に存在するように仕切り板２０に沿って並置され、その間に配置される両軸モータ３４により駆動される。
【００２８】
仕切り板２０には、シロッコファン３１の送風口３２ｂが嵌合される送風窓２１（図５参照）が形成されている。この実施形態において、シロッコファン３１は２台であるから、これに対応して、送風窓２１も２箇所に設けられている。
【００２９】
熱交換器室４０内には、熱交換器４１とドレンパン４５とが収納されている。熱交換器室４０は上面に天板４０１を備え、ドレンパン４５は熱交換器室４０の天板４０１と対向する底部４０２に配置されている。
【００３０】
この実施形態においても、従来例として先の図９で説明したダクト型空気調和機１Ｂと同じく、熱交換器４１には、２つの平面状の熱交換器４２，４３を側面視でくの字状に組合せた熱交換器が用いられている。
【００３１】
上側の熱交換器４２を上部熱交換部、下側の熱交換器４３を下部熱交換部、また、熱交換器室４０の底面と上面の高さ方向を上下方向として、上部熱交換部４２の一端部４２ａと下部熱交換部４３の一端部４３ａを空気吹出口１０Ｂ側で所定の角度をもって突き合わせ、上部熱交換部４２の他端部４２ｂを熱交換器室４０の天板４０１に近づくように上向きに傾斜させ、下部熱交換部４３の他端部４３ｂを熱交換器室４０の底部に配置されているドレンパン４５に近づくように下向きに傾斜させている。
【００３２】
図２を参照して、熱交換器４１は、その左右両端に支持ブラケット４６ａ，４６ｂを備え、支持ブラケット４６ａ，４６ｂに支持された状態で熱交換器室４０内に収納される。また、熱交換器４１は、その一端側に配管接続具４１０を備え、配管接続具４１０を介して図示しない室外機と接続される。
【００３３】
例えば、搬送時の落下衝撃等により、上部熱交換部４２の一端部４２ａと下部熱交換部４３の一端部４３ａの突き合わせ部４１ａに隙間ができると、その隙間から熱交換されない空気が通過して熱交換効率が低下するおそれがある。
【００３４】
そこで、この実施形態においても、熱交換器４１の突き合わせ部４１ａに沿って熱交換されない空気の通過を阻止する遮風板５０が設けられるが、本発明において、遮風板５０は、送風やモータ３４による振動等によって振動しないように、遮風板５０自体に上部熱交換部４２と下部熱交換部４３とに固定するための固定手段を備えている。
【００３５】
図４ないし図６を参照して、遮風板５０は、帯状の遮風板本体５１を備えている。遮風板本体５１は、熱交換器４１の突き合わせ部４１ａの一端から他端に至る長さ、すなわち、熱交換器４１の支持ブラケット４６ａ，４６ｂ間の距離に相当する長さを有し、その両端には、支持ブラケット４６ａ，４６ｂにネジ止め等により固定される固着片５３，５３が設けられている。この固着片５３，５３は、遮風板本体５１の端部をほぼ直角に折り曲げることにより形成されている。
【００３６】
上記したように、上部熱交換部４２の一端部４２ａと下部熱交換部４３の一端部４３ａは所定の角度をもって突き合わされていることから、遮風板本体５１は、その突き合わせ部４１ａの形状に合致するように、その突き合わせ角αにほぼ等しい角度を有する断面くの字状に形成されている。
【００３７】
遮風板本体５１には、上部熱交換部４２と下部熱交換部４３に対する固定手段５２が設けられている。固定手段５２には、遮風板本体５１の上縁５１ａから上部熱交換部４２の上面４２ｕに沿うように引き出された上部固定片５２１と、遮風板本体５１の下縁５１ｂから下部熱交換部４３の下面４３ｌに沿うように引き出された下部固定片５２２とが含まれている。
【００３８】
なお、上部熱交換部４２の上面４２ｕは、上部熱交換部４２のうちの熱交換器室４０の天板４０１と向き合う側の面で、下部熱交換部４３の下面４３ｌは、熱交換器室４０のドレンパン４５が配置される底部と向き合う側の面である。
【００３９】
熱交換器４１は、複数枚のフィンが所定の間隔をもって配置されたフィン群Ｆと、上記フィン群Ｆを貫通する冷媒配管Ｐとを備え、上部固定片５２１と下部固定片５２２は、それぞれ、熱交換器４１の冷媒配管Ｐの一部に係止される係止爪５４を備えている。
【００４０】
上部固定片５２１と下部固定片５２２はともに矩形状で、この実施形態において、係止爪５４は、上部固定片５２１と下部固定片５２２の両側縁から熱交換器４１（４２，４３）側に向けて形成された係止鉤５４１からなる。この係止鉤５４１によれば、熱交換器４１のフィン間に入り込ませて冷媒配管Ｐに係止することができる。
【００４１】
遮風板５０を熱交換器４１の突き合わせ部４１ａに配置する際、上部固定片５２１の係止鉤５４１を上部熱交換部４２の冷媒配管Ｐに係止し、下部固定片５２２の係止鉤５４１を下部熱交換部４３の冷媒配管Ｐに係止することにより、遮風板５０を突き合わせ部４１ａに固定することができる。
【００４２】
また、遮風板５０の固定手段５２により、上部熱交換部４２の一端部４２ａと下部熱交換部４３の一端部４３ａ同士を外部衝撃（例えば、搬送時の落下衝撃）を受けたとしても開かないように連結することができる。
【００４３】
上記実施形態では、係止爪５４を上部固定片５２１と下部固定片５２２の側縁から熱交換器４１（４２，４３）側に向けて形成された係止鉤５４１としているが、別の実施形態として、図７に示すように、係止爪５４を上部固定片５２１と下部固定片５２２の各先端部分を熱交換器４１（４２，４３）側（内側）に向けて折曲げた爪片５４２としてもよい。
【００４４】
この爪片５４２によれば、図８に示すように、上部熱交換部４２と下部熱交換部４３の各フィンを押し潰して所定の冷媒配管Ｐに係止することになる。
【００４５】
爪片５４２は、予め折り曲げられた状態で冷媒配管Ｐに食いつくように熱交換部４２，４３に強制的に取り付けられてもよいが、上部固定片５２１を上部熱交換部４２の上面４２ｕに沿わせ、下部固定片５２２を下部熱交換部４３の下面４３ｌに沿わせたのち、その各先端部を冷媒配管Ｐに食いつくように内側に折り曲げて爪片５４２を形成してもよい。
【００４６】
ところで、熱交換器４１（４２，４３）にて生成された結露水の多くはドレンパン４５上に滴下するが、熱交換器４１の突き合わせ部４１ａ付近の結露水は、風速が速い箇所では、下部熱交換部４３の一端部４３ａを飛散開始点として飛散するため、熱交換器室４０の外部に漏出することがある。熱交換器４１の突き合わせ部４１ａのうち風速が速い箇所は、シロッコファン３１の送風口３２ｂと対向する箇所である。
【００４７】
上記実施形態（図４の実施形態、図７の別の実施形態）に係る遮風板５０において、固定手段５２（上部固定片５２１と下部固定片５２２）は、シロッコファン３１，３１の送風口３２ｂ，３２ｂと対向する風速が速い箇所に配置されている。これによれば、遮風板５０の送風による振動が確実に防止される。
【００４８】
また、突き合わせ部４１ａのうちの固定手段５２で覆われる箇所に存在する結露水は、下部固定片５２２の内面をつたわって下部固定片５２２の先端部（下端部）を滴下点として空気吹出口１０Ｂ側に向けて飛散することになり、その滴下点が突き合わせ部４１ａの先端部よりも後方（熱交換器室の内側）となるため、下部固定片５２２の先端部から滴下する結露水のほとんどがドレンパン４５に回収されることになる。
【００４９】
このようにして、固定手段５２のうちの特に下部固定片５２２は露飛びを抑止する。なお、固定手段５２は、風速が速い箇所のみでなく、遮風板５０の全長にわたって設けられてもよい。また、遮風板５０は合成樹脂製、金属製（板金製）のいずれであってもよい。
【００５０】
以上説明したように、本発明によれば、遮風板５０自体に上部熱交換部４２と下部熱交換部４３とに対する固定手段５０を設けたことにより、遮風板５０を熱交換部４１の突き合わせ部４１ａに固定するための固定部材が不要で、遮風板５０の送風による振動や、モータ３４による振動等が防止される。
【００５１】
また、遮風板５０の固定手段５２により、例えば搬送時等の衝撃により上部熱交換部４２と下部熱交換部４３の突き合わせ部４１ａが開かないようにすることができる。
【符号の説明】
【００５２】
１Ａ  ダクト型空気調和機
１０  筐体
１０Ａ  空気吸込口
１０Ｂ  空気吹出口
２０  仕切り板
２１  通風窓
３０  送風機室
３１  送風機
３１  シロッコファン
３２  スクロールケーシング
３２ａ  空気吸込口
３２ｂ  送風口
３３  多翼円筒体
４０  熱交換器室
４１  熱交換器
４１ａ  突き合わせ部
４２  上部熱交換部
４２ａ  上部熱交換部の一端部
４２ｂ  上部熱交換部の他端部
４３  下部熱交換部
４３ａ  下部熱交換部の一端部
４３ｂ  下部熱交換部の他端部
５０  遮風板
５１  遮風板本体
５２  固定手段
５２１  上部固定片
５２２  下部固定片
５３  固着片
５４  係止爪
５４１  係止鉤
５４２  爪片
【図１】
2018204828.tif 000003
【図２】
2018204828.tif 000004
【図３】
2018204828.tif 000005
【図４】
2018204828.tif 000006
【図５】
2018204828.tif 000007
【図６】
2018204828.tif 000008
【図７】
2018204828.tif 000009
【図８】
2018204828.tif 000010
【図９】
2018204828.tif 000011